【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
プラグインシュレータと、該プラグインシュレータに支持したプラグコンタクトと、を有し、リセプタクルコネクタに嵌合することにより、リセプタクルコネクタのリセプタクルコンタクトに前記プラグコンタクトを接触させて電気的導通をとるプラグコネクタであって、
前記プラグコンタクトは、
電線が圧入、圧接される略Ｕ字形状のスロット部を備える圧接部と、
前記圧接部を含んで前記電線の延出方向と直交する面において、前記圧接部に対して、前記プラグコネクタの挿抜方向及び前記電線の延出方向に略直交する方向に配置され、前記圧接部と電気的に導通し、前記プラグコネクタと前記リセプタクルコネクタが嵌合したときに前記リセプタクルコネクタに設けられたリセプタクルコンタクトと電気的に導通する接触部と、
を備えることを特徴とするプラグコネクタ。
【請求項２】
前記接触部は前記電線の延出方向と直交する接触面を備える請求項１記載のプラグコネクタ。
【請求項３】
前記スロット部内に圧入、圧接されたとき、前記電線は、前記接触部と並設されている請求項１又は請求項２記載のプラグコネクタ。
【請求項４】
前記圧接部及び前記接触部は、ともに板状部材からなり、同一平面内に配置されている請求項１〜３のいずれか１項記載のプラグコネクタ。
【請求項５】
前記圧接部には、前記電線を前記スロット部へ導くために、前記圧接部の先端から離れるほど閉じていき、前記スロット部へ連設される略Ｖ字形状の誘い込み部が設けられている請求項１〜４のいずれか１項記載のプラグコネクタ。
【請求項６】
前記誘い込み部は、前記スロット部への連設部分において、前記プラグコネクタの挿抜方向及び前記電線の延出方向に略直交する方向に延出する請求項５記載のプラグコネクタ。
【請求項７】
前記プラグコンタクトには、前記プラグインシュレータ内に挿入されたときに、前記プラグインシュレータの内壁に係止される係止部が側面に設けられている請求項１〜６のいずれか１項記載のプラグコネクタ。
【請求項８】
前記プラグインシュレータに、対をなす２つの前記プラグコンタクトを、前記プラグコネクタの挿抜方向及び前記電線の延出方向に略直交する方向に並べて支持し、かつ、２つの前記接触部の間に２つの前記圧接部を位置させた請求項１〜７のいずれか１項記載のプラグコネクタ。
【請求項９】
前記プラグコンタクトに、前記圧接部と前記接触部の間の位置する凹部を形成し、
該凹部に前記プラグインシュレータの一部を係合した請求項１〜８のいずれか１項記載のプラグコネクタ。
【請求項１０】
リセプタクルコネクタに嵌合することにより電気的導通をとるプラグコネクタ用のプラグコンタクトであって、
電線が圧入、圧接される略Ｕ字形状のスロット部を備える圧接部と、
前記圧接部と並設され、前記圧接部と電気的に導通し、前記プラグコネクタと前記リセプタクルコネクタが嵌合したときに前記リセプタクルコネクタに設けられたリセプタクルコンタクトと電気的に導通する接触部と、
を有することを特徴とするプラグコンタクト。
【請求項１１】
リセプタクルコネクタに嵌合することにより電気的導通をとるプラグコネクタ用のプラグコンタクトであって、
電線が圧入、圧接される略Ｕ字形状のスロット部を備える圧接部と、
前記プラグコネクタの挿抜方向に沿って前記圧接部と互いに平行に配置され、前記圧接部と電気的に導通した接触部と、
を有することを特徴とするプラグコンタクト。
【請求項１２】
リセプタクルコネクタに嵌合することにより、リセプタクルコネクタのリセプタクルコンタクトにプラグコンタクトの接触部を接触させて電気的導通をとるプラグコネクタの組立方法であって、
電線をプラグコネクタのプラグインシュレータ内に挿入する工程と、
前記プラグコンタクトを前記プラグインシュレータに挿入することにより、前記プラグコンタクトの圧接部に設けられた略Ｕ字形状のスロット部に前記電線を圧入、圧接するとともに、前記圧接部と電気的に導通する前記接触部を、前記圧接部を含んで前記電線の延出方向と直交する面において、前記圧接部に対して、前記プラグコネクタの挿抜方向及び前記電線の延出方向に略直交する方向に配置する工程と、
を備えることを特徴とするプラグコネクタの組立方法。
【請求項１３】
請求項１〜９のいずれか１項記載のプラグコネクタと嵌合可能であり、リセプタクルインシュレータと、嵌合状態において前記プラグコンタクトと接触して電気的に導通する、該リセプタクルインシュレータに支持したリセプタクルコンタクトと、を有することを特徴とするリセプタクルコネクタ。
【請求項１４】
請求項１〜１１のいずれか１項記載のプラグコンタクトの上記接触部を挟持することにより、該接触部と電気的に導通するリセプタクルコンタクトを有することを特徴とするリセプタクルコネクタ。
【手続補正２】
【補正対象書類名】明細書
【補正対象項目名】０００８
【補正方法】変更
【補正の内容】
【０００８】
上記課題を解決するために、本発明のプラグコネクタは、プラグインシュレータと、該プラグインシュレータに支持したプラグコンタクトと、を有し、リセプタクルコネクタに嵌合することにより、リセプタクルコネクタのリセプタクルコンタクトに前記プラグコンタクトを接触させて電気的導通をとるプラグコネクタであって、前記プラグコンタクトは、電線が圧入、圧接される略Ｕ字形状のスロット部を備える圧接部と、前記圧接部を含んで前記電線の延出方向と直交する面において、前記圧接部に対して、前記プラグコネクタの挿抜方向及び前記電線の延出方向に略直交する方向に配置され、前記圧接部と電気的に導通し、前記プラグコネクタと前記リセプタクルコネクタが嵌合したときに前記リセプタクルコネクタに設けられたリセプタクルコンタクトと電気的に導通する接触部と、を備えることを特徴としている。
【手続補正３】
【補正対象書類名】明細書
【補正対象項目名】００１１
【補正方法】変更
【補正の内容】
【００１１】
さらに、本発明のプラグコネクタの組立方法は、リセプタクルコネクタに嵌合することにより、リセプタクルコネクタのリセプタクルコンタクトにプラグコンタクトの接触部を接触させて電気的導通をとるプラグコネクタの製造方法であって、電線をプラグコネクタのプラグインシュレータ内に挿入する工程と、プラグコンタクトをプラグインシュレータに挿入することにより、プラグコンタクトの圧接部に設けられた略Ｕ字形状のスロット部に電線を圧入、圧接するとともに、圧接部と電気的に導通する接触部を、圧接部を含んで電線の延出方向と直交する面において、圧接部に対して、プラグコネクタの挿抜方向及び電線の延出方向に略直交する方向に配置する工程と、を備えることを特徴としている。
また、本発明のリセプタクルコネクタは、プラグコネクタと嵌合可能であり、リセプタクルインシュレータと、嵌合状態において前記プラグコンタクトと接触して電気的に導通する、該リセプタクルインシュレータに支持したリセプタクルコンタクトと、を有することを特徴としている。
別の態様によると、本発明のリセプタクルコネクタは、プラグコンタクトの上記接触部を挟持することにより、該接触部と電気的に導通するリセプタクルコンタクトを有することを特徴としている。
【手続補正４】
【補正対象書類名】明細書
【補正対象項目名】００１８
【補正方法】変更
【補正の内容】
【００１８】
前記プラグインシュレータに、対をなす２つの前記プラグコンタクトを、前記プラグコネクタの挿抜方向及び前記電線の延出方向に略直交する方向に並べて支持し、かつ、２つの前記接触部の間に２つの前記圧接部を位置させるのが好ましい。
また、前記プラグコンタクトに、前記圧接部と前記接触部の間の位置する凹部を形成し、該凹部に前記プラグインシュレータの一部を係合するのが好ましい。